(57)【要約】【課題】色域をマッチングさせながら、グレー特性の調整を精度良く行うことができる画像処理装置、色変換テーブル生成装置、表示装置、画像処理方法、色変換テーブル生成方法、及び表示装置の製造方法を提供すること。【解決手段】色再現空間の色域ＣＳdを目標色空間の色域ＣＳtにカラーマッチングする際、目標色空間のグレー軸ＧＡt上の色彩値を無変換として、グレー軸以外の色彩値について色再現領域ＣＳdと目標色領域ＣＳtとをマッチングする第１色変換テーブルと、グレー軸及びＲＧＢごとの階調特性を調整する第２色変換テーブルとを順番に適用する。第１色変換テーブルによる色変換では、目標色空間のグレー軸ＧＡt上の色彩値は無変換のまま、第２色変換テーブルによりグレー軸及び階調特性を調整するので、グレー軸を精度良く調整し、好適な色再現を実現することができる。【選択図】図１２
2007281559.tif 000002
【特許請求の範囲】
【請求項１】
第１色空間上の色彩値を第２色空間上の色彩値に色変換する画像処理装置であって、
前記第１色空間におけるグレー軸に対応する色彩値は無変換とし、グレー軸以外の色彩
値を前記第２色空間の色域に適合させる色変換を行う第１色変換手段と、
前記色変換後の第１色空間におけるグレー軸を調整する第２色変換手段とを備えること
を特徴とする画像処理装置。
【請求項２】
請求項１に記載の画像処理装置において、
前記第１色変換手段は、前記第１色空間におけるグレー軸に対応する色彩値を無変換と
し、グレー軸以外の色彩値と当該色彩値を前記第２色空間の色域に適合する色彩値とを対
応付けた第１色変換テーブルに従って色変換することを特徴とする画像処理装置。
【請求項３】
第１色空間上の色彩値を第２色空間上の色彩値に色変換するための色変換テーブルを生
成する色変換テーブル生成装置であって、
前記第１色空間の色域を設定する第１色空間設定手段と、
前記設定された第１色空間の色域におけるグレー軸に対応する色彩値は無変換とし、グ
レー軸以外の色彩値と当該色彩値を第２色空間の色域に適合する色彩値とを対応付けた第
１色変換テーブルを生成する第１色変換テーブル生成手段とを備えることを特徴とする色
変換テーブル生成装置。
【請求項４】
請求項３に記載の色変換テーブル生成装置において、
前記第１色空間上の色彩値に対してグレー軸を調整する色変換の第２色変換テーブルを
取得する第２色変換テーブル取得手段をさらに備えることを特徴とする色変換テーブル生
成装置。
【請求項５】
請求項４に記載の色変換テーブル生成装置において、
前記第１色変換テーブル生成手段は、前記第１色空間上の色彩値をデバイス依存の色空
間からデバイス非依存の色空間上の色彩値に変換し、
前記デバイス非依存の色空間において、前記第１色空間におけるグレー軸上の色彩値を、
前記第２の色空間における前記第２色変換テーブルにより調整されたグレー軸上の色彩値
に補正することによって、当該グレー軸上の色彩値を無変換とすることを特徴とする色変
換テーブル生成装置。
【請求項６】
請求項５に記載の色変換テーブル生成装置において、
前記第１色変換テーブル生成手段は、
前記デバイス非依存の色空間において、前記第１色空間におけるグレー軸以外の色彩値に
ついて、前記第１色空間におけるグレー軸に近い色彩値ほど、前記第２色空間のグレー軸
に近い色彩値に対応付けることを特徴とする色変換テーブル生成装置。
【請求項７】
請求項６に記載の色変換テーブル生成装置において、
前記第１色変換テーブル生成手段は、前記デバイス非依存の色空間から前記第２色空間
への色変換を、前記第２色変換テーブル適用後の表示装置の出力特性を考慮して行うこと
を特徴とする色変換テーブル生成装置。
【請求項８】
請求項４乃至７のいずれか一項に記載の色変換テーブル生成装置において、
前記第１色変換テーブル生成手段は、前記第１色空間におけるグレー軸上以外の色彩値
について、低彩度の色彩値を前記第１色空間上の色彩値に近づけ、高彩度の色彩値を前記
第２色空間上の色彩値に近づけるように、色彩値を対応付けることを特徴とする色変換テ
ーブル生成装置。
【請求項９】
請求項８に記載の色変換テーブル生成装置において、
前記第１色変換テーブル生成手段は、前記第１色空間における色域の最外殻の色彩値を
、前記第２色空間における色域の最外殻の色彩値に対応付けることを特徴とする色変換テ
ーブル生成装置。
【請求項１０】
請求項８又は９に記載の色変換テーブル生成装置において、
前記第１色変換テーブル生成手段は、前記第１色空間上の色彩値をＨＳＩ色空間上の色
彩値に変換し、ＨＳＩ色空間において色彩値を対応付けることを特徴とする色変換テーブ
ル生成装置。
【請求項１１】
請求項８に記載の色変換テーブル生成装置において、
前記第１色変換テーブル生成手段は、前記ＨＳＩ色空間から前記第２色空間への色変換
を、前記第２色変換テーブル適用後の表示装置の出力特性を考慮して行うことを特徴とす
る色変換テーブル生成装置。
【請求項１２】
請求項８乃至１１のいずれか一項に記載の色変換テーブル生成装置において、
前記第１色変換テーブル生成手段は、前記高彩度の色彩値の範囲を調整可能にすること
を特徴とする色変換テーブル生成装置。
【請求項１３】
請求項８乃至１２のいずれか一項に記載の色変換テーブル生成装置において、
前記第１色変換テーブル生成手段は、前記第１色変換テーブルの色変換による色相の変
化量を調整可能にすることを特徴とする色変換テーブル生成装置。
【請求項１４】
請求項１又は２に記載の画像処理装置を有する表示装置。
【請求項１５】
第１色空間上の色彩値を第２色空間上の色彩値に色変換する画像処理方法であって、
前記第１色空間におけるグレー軸に対応する色彩値は無変換とし、グレー軸以外の色彩
値を前記第２色空間の色域に適合させる色変換を行う第１色変換工程と、
前記色変換後の第１色空間におけるグレー軸を調整する第２色変換工程とを備えること
を特徴とする画像処理方法。
【請求項１６】
第１色空間上の色彩値を第２色空間上の色彩値に色変換するための色変換テーブルを生
成する色変換テーブル生成方法であって、
前記第１色空間の色域を設定する第１色空間設定工程と、
前記設定された第１色空間の色域におけるグレー軸に対応する色彩値は無変換とし、グ
レー軸以外の色彩値と当該色彩値を第２色空間の色域に適合する色彩値とを対応付けた第
１色変換テーブルを生成する第１色変換テーブル生成工程とを備えることを特徴とする色
変換テーブル生成方法。
【請求項１７】
色変換テーブルに従って色変換を行う表示装置の製造方法であって、
前記第１色空間の色域を設定する第１色空間設定工程と、
前記設定された第１色空間の色域におけるグレー軸に対応する色彩値は無変換とし、グ
レー軸以外の色彩値と当該色彩値を第２色空間の色域に適合する色彩値とを対応付けた第
１色変換テーブルを生成する第１色変換テーブル生成工程と、
前記生成した第１色変換テーブルを、前記表示装置に格納するテーブル格納工程とを備
えることを特徴とする表示装置の製造方法。
【発明の詳細な説明】
【技術分野】
【０００１】
ある色空間上の色彩値を他の色空間上の色彩値に色変換する画像処理装置、色変換テー
ブル生成装置、表示装置、画像処理方法、色変換テーブル生成方法、及び表示装置の製造
方法に関する。
【背景技術】
【０００２】
従来より、プロジェクタやディスプレイなどの表示装置が再現可能な色再現空間とｓＲ
ＧＢなど表示目標の色空間（以下「目標色空間」という）との色域の差異を吸収し、表示
装置が目標色空間に従う色再現を実現するため、カラーマッチングが広く行われている。
【０００３】
カラーマッチングの一例として目標色空間と色再現空間との重なり領域について色彩値
を１対１に対応させると、目標色空間に忠実な色再現を行うことができる。また、色再現
空間の高輝度領域を有効に活用するため、目標色空間と色再現空間との重なり領域の外側
については、目標色空間の外側にある色再現空間上の色彩値を目標色空間内の色彩値に対
応付けるようにして、高輝度領域を含め色再現空間の全色域を活かした色再現を行うこと
もある（例えば、特許文献１参照）。
【０００４】
また、特許文献１に記載の技術では、色変換前の表示装置のＲＧＢ各原色の階調特性が
例えばγ＝２．２などの固定の階調特性であることを想定して色変換を行うようにして、
明度が大きくなるにつれて目標色空間のグレー軸から色再現空間のグレー軸に近づけた曲
線状のグレー軸の色空間に色変換することで、色再現空間の高輝度領域を有効に活用しな
がら、全体的に目標色空間に近い色特性となる色再現を実現している。
【０００５】
【特許文献１】特開２００３−１８４１５号公報
【発明の開示】
【発明が解決しようとする課題】
【０００６】
しかしながら、特許文献１に記載の技術では第１色変換部で想定していた階調特性と、
実際に第２色変換部で調整した階調特性が異なるから精度が落ちることがある。
【０００７】
例えば、色変換前の表示装置のグレー軸などがすでに適切に補正されていて、各原色の
階調特性が色変換時に想定したものと異なる場合は、グレー特性の調整の精度が落ちてし
まう。
【０００８】
このように、従来の技術によれば、色域のマッチング時に、グレー特性の調整を精度良
く行うことが困難という課題があった。
【０００９】
そこで、本発明は、色域をマッチングさせながら、グレー特性の調整を精度良く行うこ
とができる画像処理装置、色変換テーブル生成装置、表示装置、画像処理方法、色変換テ
ーブル生成方法、及び表示装置の製造方法を提供することを目的とする。
【課題を解決するための手段】
【００１０】
上記目的を達成する本発明の画像処理装置は、第１色空間上の色彩値を第２色空間上の
色彩値に色変換する画像処理装置であって、第１色空間におけるグレー軸に対応する色彩
値は無変換とし、グレー軸以外の色彩値を第２色空間の色域に適合させる色変換を行う第
１色変換手段と、色変換後の第１色空間におけるグレー軸を調整する第２色変換手段とを
備えることを特徴とする。
【００１１】
この構成によれば、第１色空間におけるグレー軸に対応する色彩値は、第１色変換手段
による色変換を受けずに、第２色変換手段が行う色変換により調整されるので、グレー軸
が精度良く調整された色空間を得ることができる。一方、第１色空間におけるグレー軸以
外の色彩値は、第１色変換により第２色空間の色域に適合される。したがって、全体とし
ては第２色空間に適合しながら、調整されたグレー軸を有する色空間への色変換を精度良
く行うことができる。
【００１２】
また、本発明の画像処理装置において、第１色変換手段は、第１色空間におけるグレー
軸に対応する色彩値を無変換とし、グレー軸以外の色彩値と当該色彩値を第２色空間の色
域に適合する色彩値とを対応付けた第１色変換テーブルに従って色変換することが好まし
い。
【００１３】
このようにすれば、第１色変換テーブルに従って色変換することにより、全体としては
第２色空間の色域に適合しながら、調整されたグレー軸を有する色空間への色変換を精度
良く行うことができる。
【００１４】
上記目的を達成する本発明のもう１つの態様の色変換テーブル生成装置は、第１色空間
上の色彩値を第２色空間上の色彩値に色変換するための色変換テーブルを生成する色変換
テーブル生成装置であって、第１色空間の色域を設定する第１色空間設定手段と、設定さ
れた第１色空間の色域におけるグレー軸に対応する色彩値は無変換とし、グレー軸以外の
色彩値と当該色彩値を第２色空間の色域に適合する色彩値とを対応付けた第１色変換テー
ブルを生成する第１色変換テーブル生成手段とを備えることを特徴とする。
【００１５】
この構成によれば、第１色空間におけるグレー軸に対応する色彩値を変換することなく
、設定された第１色空間の色域におけるグレー軸以外の色彩値を第２色空間の色域に適合
させる色変換テーブルを得ることができる。この第１色変換テーブルにより色変換した色
空間はグレー軸が無変換であるので、グレー軸に影響を及ぼすことなく、第２色空間の色
域に適合した色域を得ることができる。
【００１６】
また、本発明の色変換テーブル生成装置において、第１色空間上の色彩値に対してグレ
ー軸を調整する色変換の第２色変換テーブルを取得する第２色変換テーブル取得手段をさ
らに備えることが好ましい。
【００１７】
このようにすれば、第２色変換テーブルにより、第１色変換テーブルの色変換による影
響を受けることなくグレー軸を調整することができるので、グレー軸を精度良く調整しな
がら第１色空間の色域を第２色空間の色域に適合させることが可能な第１色変換テーブル
及び第２色変換テーブルを得ることができる。
【００１８】
また、本発明の色変換テーブル生成装置において、第１色変換テーブル生成手段は、第
１色空間上の色彩値をデバイス依存の色空間からデバイス非依存の色空間上の色彩値に変
換し、デバイス非依存の色空間において、第１色空間におけるグレー軸上の色彩値を、第
２の色空間における第２色変換テーブルにより調整されたグレー軸上の色彩値に補正する
ことによって、当該グレー軸上の色彩値を無変換とすることが好ましい。
【００１９】
このようにすれば、デバイス非依存の色空間において、第１色空間におけるグレー軸を
、第２色変換テーブルにより調整されたグレー軸に補正し、当該グレー軸上の色彩値につ
いては無変換とすることにより、デバイス依存の色空間においては第１色空間のグレー軸
上の色彩値は無変換となる。したがって、グレー軸上の色彩値を無変換としながらグレー
軸以外の色彩値を第２色空間の色域に適合させる色変換テーブルを精度良く求めることが
できる。
【００２０】
また、本発明の色変換テーブル生成装置において、第１色変換テーブル生成手段は、デ
バイス非依存の色空間において、第１色空間におけるグレー軸以外の色彩値について、第
１色空間におけるグレー軸に近い色彩値ほど、第２色空間のグレー軸に近い色彩値に対応
付けることが好ましい。
【００２１】
このようにすれば、グレー軸上以外の色彩値について第１色空間のグレー軸に近い色彩
値ほど第２色空間のグレー軸に近い色彩値に変換されるので、第１色空間のグレー軸から
第２色空間への色彩値が連続する色空間に変換する色変換テーブルを得ることができる。
【００２２】
また、本発明の色変換テーブル生成装置において、第１色変換テーブル生成手段は、デ
バイス非依存の色空間から第２色空間への色変換を、第２色変換テーブル適用後の表示装
置の出力特性を考慮して行うことが好ましい。
【００２３】
このようにすれば、グレー軸が調整された表示装置の出力特性を考慮することにより、
色変換の変換精度を高め、より好適な色再現を実現させる色変換テーブルを得ることがで
きる。
【００２４】
また、本発明の色変換テーブル生成装置において、第１色変換テーブル生成手段は、第
１色空間におけるグレー軸上以外の色彩値について、低彩度の色彩値を第１色空間上の色
彩値に近づけ、高彩度の色彩値を第２色空間上の色彩値に近づけるように、色彩値を対応
付けることが好ましい。
【００２５】
このようにすれば、高彩度領域を第２色空間に近づけながら、低彩度領域については第
１色空間に対応させることができるので、第２色空間に近い色域の色空間と設定された第
１色空間の色域に近い色再現とを両立させる色変換テーブルを得ることができる。
【００２６】
また、本発明の色変換テーブル生成装置において、第１色変換テーブル生成手段は、第
１色空間における色域の最外殻の色彩値を、第２色空間における色域の最外殻の色彩値に
対応付けることが好ましい。
【００２７】
このようにすれば、第１色空間の全色域と第２色空間の全色域とが対応するので、第２
色空間の全色域を活かしながら第１色空間に近い色再現を実現させる色変換テーブルを得
ることができる。
【００２８】
また、本発明の色変換テーブル生成装置において、第１色変換テーブル生成手段は、第
１色空間上の色彩値をＨＳＩ色空間上の色彩値に変換し、ＨＳＩ色空間において色彩値を
対応付けることが好ましい。
【００２９】
このようにすれば、ＨＳＩ色空間において対応付けを行うことで、グレー軸以外の色彩
値に対して行う変換を容易に行うことができる。
【００３０】
また、本発明の色変換テーブル生成装置において、第１色変換テーブル生成手段は、Ｈ
ＳＩ色空間から第２色空間への色変換を、第２色変換テーブル適用後の表示装置の出力特
性を考慮して行うことが好ましい。
【００３１】
このようにすれば、グレー軸が調整された表示装置の出力特性を考慮することにより、
色変換の変換精度を高め、より好適な色再現を実現させる色変換テーブルを得ることがで
きる。
【００３２】
また、本発明の色変換テーブル生成装置において、第１色変換テーブル生成手段は、高
彩度の色彩値の範囲を調整可能にすることが好ましい。
【００３３】
このようにすれば、第２色空間に近づける色域の範囲と第１色空間に近づける色域の範
囲とを調整することにより、所望の色再現を実現することができる。
【００３４】
また、本発明の色変換テーブル生成装置において、第１色変換テーブル生成手段は、第
１色変換テーブルの色変換による色相の変化量を調整可能にすることが好ましい。
【００３５】
このようにすれば、色変換時の色相の変化量を調整することにより、所望の色再現を実
現することができる。
【００３６】
本発明のもう１つの態様は、請求項１又は２に記載の画像処理装置を有する表示装置で
ある。
【００３７】
このようにすれば、全体としては第２色空間に適合しながら、調整されたグレー軸を有
する色空間への色変換を精度良く行う表示装置を得ることができる。
【００３８】
本発明は方法の発明とすることができる。本発明の画像処理方法は、第１色空間上の色
彩値を第２色空間上の色彩値に色変換する画像処理方法であって、第１色空間におけるグ
レー軸に対応する色彩値は無変換とし、グレー軸以外の色彩値を第２色空間の色域に適合
させる色変換を行う第１色変換工程と、色変換後の第１色空間におけるグレー軸を調整す
る第２色変換工程とを備えることを特徴とする。
【００３９】
また、本発明の色変換テーブル生成方法は、第１色空間上の色彩値を第２色空間上の色
彩値に色変換するための色変換テーブルを生成する色変換テーブル生成方法であって、第
１色空間の色域を設定する第１色空間設定工程と、設定された第１色空間の色域における
グレー軸に対応する色彩値は無変換とし、グレー軸以外の色彩値と当該色彩値を第２色空
間の色域に適合する色彩値とを対応付けた第１色変換テーブルを生成する第１色変換テー
ブル生成工程とを備えることを特徴とする。
【００４０】
さらに、本発明の製造方法は、色変換テーブルに従って色変換を行う表示装置の製造方
法であって、第１色空間の色域を設定する第１色空間設定工程と、設定された第１色空間
の色域におけるグレー軸に対応する色彩値は無変換とし、グレー軸以外の色彩値と当該色
彩値を第２色空間の色域に適合する色彩値とを対応付けた第１色変換テーブルを生成する
第１色変換テーブル生成工程と、生成した第１色変換テーブルを、表示装置に格納するテ
ーブル格納工程とを備えることを特徴とする。
【発明を実施するための最良の形態】
【００４１】
（第１の実施形態）
以下、本発明を具体化した第１の実施形態について、図面を参照して説明する。
【００４２】
図１は、第１の実施形態に係るプロジェクタの構成を示したブロック図である。図１に
示すように、プロジェクタ１は、画像データの入力を受け付ける画像データ入力部１０と
、色変換テーブルを生成する色変換テーブル生成部２０と、色変換テーブルを参照して画
像データに色変換を施す画像処理部３０と、画像を投影表示するため、色変換後のデータ
に従って空間光変調器としてのライトバルブ（図示なし）を駆動させるＬ／Ｖ駆動部４０
と、を備えている。このプロジェクタ１は、メタルハライドランプや高圧水銀ランプやＬ
ＥＤなどの光源（図示なし）からの光をＬ／Ｖ駆動部４０により駆動されたライトバルブ
により変調して、同じく図示されていない投射レンズによりスクリーンや壁などに拡大投
射する。
【００４３】
画像データ入力部１０は、外部機器などから画像データの入力を受け付け、所定のデー
タ形式の入力値ＲinＧinＢinとして画像処理部３０に受け渡す入力処理を行う。
【００４４】
色変換テーブル生成部２０は、カラーモードを設定するカラーモード設定部２１と、測
光センサ２２の測定値よりプロジェクタ１の色出力特性を表す色出力特性データを生成す
る色出力特性データ生成部２３と、色出力特性データを格納する色出力特性データ格納部
２４と、カラーマッチング用の３次元色変換テーブル（以下「第１色変換テーブル」とい
う）を生成する第１色変換テーブル生成部２５と、グレー軸の調整及び表示装置の出力特
性に対応したＲＧＢ各色ごとの階調特性を調整する１次元色変換テーブル（以下「第２色
変換テーブル」という）を生成する第２色変換テーブル生成部２６と、を備えている。
【００４５】
カラーモード設定部２１は、色優先モードや明るさ優先モードなどの予め定められた複
数のカラーモードのうちから１つのカラーモードを設定すると共に、設定したカラーモー
ドに応じて目標色空間（第１色空間）の色域（以下「目標色領域」ともいう）などを設定
する処理を行う。
【００４６】
第１色変換テーブル生成部２５は、目標色領域に対して本発明の特徴であるグレー軸補
正及び彩度・色相補正を行って、これらの補正結果を反映した第１色変換テーブルを生成
する処理を行う。
【００４７】
ここで、グレー軸補正は、表示装置の出力特性に依存しないデバイス非依存のＹｕｖ色
空間上において、目標色空間のグレー軸を、プロジェクタ１が再現可能な色再現空間（第
２色空間）の色域（以下「色再現領域」ともいう）におけるグレー軸に補正する処理であ
る。具体的には、Ｙｕｖ色空間上において、目標色空間のグレー軸上の色彩値を、グレー
軸補正及び彩度・色相補正を施すことなく第２色変換テーブルを適用したときの色再現空
間のグレー軸上の色彩値に補正する処理を行う。なお、グレー軸とは、入力値Ｒ，Ｇ，Ｂ
が互いに等しいグレー信号Ｄ（＝Ｒin＝Ｇin＝Ｂin）に対応する色彩値の色点を繋げた色
空間上の軸のことをいう。また、グレー軸補正及び彩度・色相補正を施すことなく、第２
色変換テーブルの色変換のみを適用されグレー軸の調整及びＲＧＢ各色の階調特性の調整
が行われた状態を、以下では「無補正時の」と称することにする。
【００４８】
彩度・色相補正は、グレー軸補正後の目標色領域上の色彩値について、グレー軸以外の
色彩値を色再現領域に適合させるように補正する処理である。具体的には、デバイス依存
のＨＳＩ色空間上において、グレー軸補正後の目標色空間のグレー軸以外の色彩値につい
て、低彩度の領域を目標色領域、高彩度の領域を色再現領域の色彩値に近づけるように変
換し、グレー軸上の色彩値は無変換とする処理を行う。
【００４９】
すなわち、グレー軸補正により、目標色領域をＹ*ｕ*ｖ*色空間上において無補正時の
グレー軸を有する色空間に補正し、彩度・色相補正はＨＳＩ色空間上でグレー軸を変化さ
せないように、色再現領域に適合させることにより、色再現領域を目標色領域にマッチン
グさせる。これにより、第２色変換テーブルによる調整するグレー軸上の色彩値を変換す
ることなく、全体としてはプロジェクタが表現可能な色再現領域を有する色空間を作り出
す。
【００５０】
そして、第１色変換テーブル生成部２５は、目標色領域の色彩値と、グレー軸補正及び
彩度・色相補正済みの色空間の色彩値とを対応させた第１色変換テーブルを生成する。
【００５１】
第２色変換テーブル生成部２６は、第１色変換実行部３２が補正した色彩値について、
さらにプロジェクタ１の色出力特性を考慮してグレー軸及びＲＧＢ各色の階調特性を調整
するＲＧＢ各色への１次元色変換を施すための第２色変換テーブルを生成する。
【００５２】
画像処理部３０は、第１色変換テーブルを格納する第１色変換テーブル格納部３１と、
第１色変換テーブルに基づき入力値ＲinＧinＢinに３次元色変換を実行する第１色変換実
行部３２と、第２色変換テーブルを格納する第２色変換テーブル格納部３３と、第２色変
換テーブルに基づき３次元色変換後の色彩値に１次元色変換を実行する第２色変換実行部
３４と、を備えている。これにより、画像処理部３０は、入力値ＲinＧinＢinに対して３
次元色変換及び１次元色変換を施して出力値ＲoutＧoutＢoutに変換する処理を行う。
【００５３】
Ｌ／Ｖ駆動部４０は、画像処理部３０から出力値ＲoutＧoutＢoutを受け取って、出力
値ＲoutＧoutＢoutに応じた駆動信号をライトバルブを送信することで、ライトバルブの
駆動制御を行う。これにより、ライトバルブには出力値ＲoutＧoutＢoutに応じた画像が
出力され、ライトバルブ上の画像をスクリーンなどに投影することで表示が行われる。
【００５４】
以上に説明したように、本実施形態のプロジェクタ１は、グレー軸補正及び彩度・色相
補正の第１色変換テーブル及びプロジェクタ１に応じた出力調整用の第２色変換テーブル
を生成し、生成したテーブルに従ってグレー軸補正及び彩度・色相補正を反映した色変換
を行うものである。
【００５５】
次に、色変換テーブル生成部２０が色変換テーブルを生成する際に行う処理について、
図２に示すフローチャートに従って詳細に説明する。
【００５６】
処理を開始すると、ステップＳ１００において、カラーモード設定部２１は、色優先モ
ードや明るさ優先モードなどの複数のカラーモードのうちから１つのカラーモードを設定
する。ここで、各カラーモードごとに目標色領域及びγ値が予め定められている。したが
って、カラーモードを設定することにより、当該設定したカラーモードの目標色領域及び
γ値が設定される。例えば、ｓＲＧＢ規格に準拠した色域のカラーモードに設定されると
、白（Ｒmax，Ｇmax，Ｂmax）の色度座標が「ｘ＝０．３１３，ｙ＝０．３２９」、赤（
Ｒmax，０，０）の色度座標が「ｘ＝０．６４０，ｙ＝０．３３０」、緑（０，Ｇmax，０
）の色度座標が「ｘ＝０．３００，ｙ＝０．６００」，青（０，０，Ｂmax）の色度座標
が「ｘ＝０．１５０，ｙ＝０．０６０」となる色空間が目標色領域に設定される。
【００５７】
次に、ステップＳ１１０では、第２色変換実行部３４は第２色変換テーブル格納部３３
から、設定したカラーモードに対応した第２色変換テーブルを読み出して取得する。なお
、第２色変換テーブルはカラーモードごとに予め生成され、第２色変換テーブル格納部３
３に格納されているものとする。以下、第２色変換テーブルを生成する際に行われる処理
について説明する。
【００５８】
（第２色変換テーブル生成処理）
図３は、第２色変換テーブル生成処理の流れを示したフローチャートである。第２色変
換テーブル生成処理が開始されると、まず、ステップＳ２００において、色出力特性デー
タ生成部２３は、プロジェクタ１に所定の色の画面を基準投影面に投影させて、測光セン
サ２２にプロジェクタ１の色出力特性を測定させる。このとき、測光センサ２２は単色の
出力値Ｒout，Ｇout，Ｂoutをプロジェクタ１に出力させたときのＸＹＺ値を各階調につ
いて測定する。例えば、赤の場合であれば、赤の出力値（Ｒout，０，０）に対して、三
刺激値ＸD（Ｒout，０，０），ＹD（Ｒout，０，０），ＺD（Ｒout，０，０）を測定する
。
【００５９】
さらに、色出力特性データ生成部２３は、白の出力値ＲmaxＧmaxＢmaxをＬ／Ｖ駆動部
４０に出力し、測光センサ２２に輝度ＹD（Ｒmax，Ｇmax，Ｂmax）を測定させる。ただし
、Ｒmax，Ｇmax，Ｂmaxは出力値Ｒout，Ｇout，Ｂoutの各階調値がとりうる最大値である
。
【００６０】
そして、測定したＸＹＺ値よりプロジェクタ１の色出力特性を表す色出力特性データを
生成する。例えば赤については、次に示す式（１）により赤の出力値Ｒoutを出力したと
きのＸＹＺ値を白の出力値Ｒoutを出力したときの輝度ＹD（Ｒmax，Ｇmax，Ｂmax）で正
規化した色出力特性データＸRDＹRDＺRDを算出する。緑及び青についても同様の計算を行
うと、ＲＧＢ各色ごとの色出力特性データＸRDＹRDＺRD，ＸGDＹGDＺGD，ＸBDＹBDＺBDを
得ることができる。この色出力特性データは、画像処理部３０が出力値Ｒout，Ｇout，Ｂ
outを出力したときに実際に表示される色のＸＹＺ値を示す。
【００６１】
【数１】
2007281559.tif 000003
【００６２】
次に、ステップＳ２１０では、第２色変換テーブル生成部２６はカラーモードを設定し
、設定したカラーモードに対応する所望の目標グレー特性ＸD（Ｄ）ＹD（Ｄ）ＺD（Ｄ）
を決定する。例えば、目標グレー特性がカラーモードに応じて設定したγ値に従いながら
色度一定であると仮定すると、次に示す式（２）により目標グレー特性ＹD（Ｄ）は決定
され、目標グレー特性ＸD（Ｄ），ＹD（Ｄ），ＺD（Ｄ）については適宜定められた所定
の値となる。ただし、Ｄはグレー軸上の各階調（Ｄ＝Ｒin＝Ｇin＝Ｂin）、Ｄmaxは階調
Ｄのとりうる最大値である。もっとも、目標グレー特性としてはこれに限られることなく
、ＸD（Ｄ），ＹD（Ｄ），ＺD（Ｄ）ごとに異なるＳ字状の特性を有していてもよい。
【００６３】
【数２】
2007281559.tif 000004
【００６４】
次に、ステップＳ２２０では、第２色変換テーブル生成部２６は、目標グレー特性ＸD
（Ｄ）ＹD（Ｄ）ＺD（Ｄ）を表示するための出力値ＲoutＧoutＢoutを計算する。そのた
め、まず、ステップＳ２００にて算出した色出力特性データＸRDＹRDＺRD，ＸGDＹGDＺGD
，ＸBDＹBDＺBDを用いて次に示す式（３）に従って変換行列Ｎ0を求める。
【００６５】
【数３】
2007281559.tif 000005
【００６６】
そして、次に示す式（４）に従って変換行列Ｎ0の逆行列Ｎ0-1によりグレー特性ＸD（
Ｄ）ＹD（Ｄ）ＺD（Ｄ）を逆変換することで、ＲＧＢの各色輝度ＹRD（Ｒout0）ＹGD（Ｇ
out0）ＹBD（Ｂout0）を計算する。そして、算出した輝度ＹRD（Ｒout0）ＹGD（Ｇout0）
ＹBD（Ｂout0）を暫定の出力値Ｒout0Ｇout0Ｂout0とする（式（５））。
【００６７】
【数４】
2007281559.tif 000006
【００６８】
次に、ステップＳ２３０では、第２色変換テーブル生成部２６はＲＧＢ出力値を再計算
する。ここでは、式（３）においてＲＧＢ値最大のときの変換行列Ｎ0を用いたことによ
りＲＧＢ単色の色度変化に応じて生じる誤差を抑えるため、暫定の出力値Ｒout0Ｇout0Ｂ
out0を用いてＲＧＢ出力値を回帰的に算出することで、変換精度の向上を図る。具体的に
は、次に示す式（６）〜式（８）に従って輝度ＹRD（Ｒout1）ＹGD（Ｇout1）ＹBD（Ｂou
t1）を計算して、出力値Ｒout1Ｇout1Ｂout1とする（式（９））。これにより、所望の目
標グレー特性に対応する出力値Ｒout1Ｇout1Ｂout1を得ることができる。なお、ここでは
ＲＧＢを算出する計算を２回繰り返す回帰計算を行うようにしたが、さらに多くの回数を
繰り返すようにしてもよい。
【００６９】
【数５】
2007281559.tif 000007
【００７０】
次に、ステップＳ２４０では、第２色変換テーブル生成部２６は、グレー軸上の各階調
値Ｄ（＝Ｒin＝Ｇin＝Ｂin）と、これに対応する出力値Ｒout1，Ｇout1，Ｂout1とを対応
付けた第２色変換テーブルを生成する。
【００７１】
次に、ステップＳ２５０では、第２色変換テーブル生成部２６は、生成した第２色変換
テーブルを第２色変換テーブル格納部３３に格納する。
【００７２】
次に、ステップＳ２６０では、全カラーモードについて処理を行ったか否かを判断して
、全カラーモードに処理済みでなければ（Ｎｏ）、ステップＳ２１０に戻って未処理のカ
ラーモードを対象として処理を行う。全カラーモードについて第２色変換テーブルを生成
する処理を終えると（Ｙｅｓ）、第２色変換テーブル生成処理を終了する。
【００７３】
図４は、第２色変換テーブルによる色変換を説明した図である。まず、図４（ａ）に示
すように、ライトバルブがもつデバイス特性のため、ライトバルブへの入力値と実際の出
力光の輝度とは非線形の特性をもつ。このため、ライトバルブの目標グレー特性として図
４（ｂ）に示すγカーブ状の特性をもたせるには、画像処理部３０の出力値に対して図４
（ｃ）に示すような階調変換を施す必要がある。第２色変換テーブル生成処理では、式（
３）〜式（９）の処理によって、式（２）に例として示した目標グレー特性に回帰的に近
づけるようにしたので、出力値に対して第２色変換テーブルによる色変換を施すと、図４
（ｂ）に示すように目標グレー特性を持つγカーブ状の出力特性となる出力値を得ること
ができる。すなわち、第２色変換テーブルは、目標グレー特性に対応する、ライトバルブ
の出力特性が考慮された出力値に変換するものである。
【００７４】
本実施形態では、図２の処理にあたり、上述した第２色変換テーブル生成処理を予め実
行して、生成した第２色変換テーブルは第２色変換テーブル格納部３３に格納されている
こととする。そして、ステップＳ１１０では、第２色変換テーブル格納部３３から予め生
成された第２色変換テーブルを読み出すようにして、第２色変換テーブルを取得する。も
っとも、ステップＳ１１０のタイミングで図３に示す第２色変換テーブル生成処理を行う
ようにしてもよい。
【００７５】
次に、ステップＳ１２０において、色出力特性データ生成部２３は、第２色変換テーブ
ルを適用した出力値を出力して、無補正時の色出力特性データを測定する。具体的には、
単色のＲＧＢ値及び白のＲＧＢ値に第２色変換テーブルを適用した出力値を出力してから
測光センサ２２にＲＧＢ各色各階調のＸＹＺ値及び白の輝度Ｙ（Ｒmax，Ｇmax，Ｂmax）
を測定させる。そして、例えば赤については、次に示す式（１０）により赤の色出力特性
を白の輝度で正規化した無補正時の色出力特性データＸRＹRＺRを算出する。同様にして
、緑の色出力特性データＸGＹGＺG及び青の色出力特性データＸBＹBＺBを算出し、無補正
時の色出力特性データＸRＹRＺR，ＸGＹGＺG，ＸBＹBＺBを色出力特性データ格納部２４
に格納しておく。
【００７６】
【数６】
2007281559.tif 000008
【００７７】
次に、ステップＳ１３０では、第１色変換テーブル生成部２５が第１色変換テーブル生
成処理を行う。
【００７８】
（第１色変換テーブル生成処理）
以下、図５に示すフローチャートに従って第１色変換テーブル生成処理について説明す
る。第１色変換テーブル生成処理を開始すると、まず、ステップＳ３００において、目標
色空間上での入力値ＲtＧtＢtを、デバイス非依存の色空間であるＬ*ｕ*ｖ*色空間上の入
力値Ｌt*ｕt*ｖt*に変換する。そのため、次に示す式（１１）〜式（１４）の計算により
入力値ＲtＧtＢtをＸＹＺ色空間上の入力値ＸtＹtＺtに変換する。ただし、ｘRｙRｚR，
ｘGｙGｚG，ｘBｙBｚB，ｘWｙWｚWは、それぞれ目標色空間における赤、緑、青、白の色
度座標である。
【００７９】
【数７】
2007281559.tif 000009
【００８０】
さらに、次に示す式（１５）〜式（１７）の計算により、入力値ＸtＹtＺtをＬ*ｕ*ｖ*
色空間上の入力値Ｌt*ｕt*ｖt*に変換する。なお、変換時における基準白色のＸＹＺ値Ｘ
wＹwＺwには目標色空間の白のＸＹＺ値を用いる。
【００８１】
【数８】
2007281559.tif 000010
【００８２】
（グレー軸補正）
次に、ステップＳ３１０では、第１色変換テーブル生成部２５はグレー軸補正を行う。
グレー軸補正は、次に示すグレー軸補正の基本式（１８）に従って色変換することにより
行う。ここで、ΔＬg*Δｕg*Δｖg*がグレー軸補正の基本補正量であり、Ｗgは基本補正
量に係る重み係数である。グレー軸補正は、基本補正量ΔＬg*Δｕg*Δｖg*及び重みＷg
を求めてから、式（１８）を計算することにより行う。以下、図６に示すフローチャート
に従ってグレー軸補正について説明する。
【００８３】
【数９】
2007281559.tif 000011
【００８４】
グレー軸補正を開始すると、ステップＳ４００において、入力値ＲtＧtＢtと等しい明
度を有するグレー値を算出する。そのため、次に示す式（１９）〜式（２３）に従って入
力値ＲtＧtＢtをＨＳＩ色空間上の入力値ＩtＳtＨtに変換する。
【００８５】
【数１０】
2007281559.tif 000012
【００８６】
入力値ＩtＳtＨtを求めると、これに等しい明度Ｉtを有する目標色空間のグレー値Ｉtg
ＳtgＨtgをＬ*ｕ*ｖ*色空間のグレー値Ｌtg*ｕtg*ｖtg*に変換する。そのため、次に示す
式（２４）によりグレー値ＩtgＳtgＨtgを求めてから、式（２５）〜式（２７）によるＲ
ＧＢ値への変換、式（１１）〜式（１４）によるＸＹＺ値への変換を行う。そして、目標
色空間における白のＸＹＺ値を基準白色として式（１５）〜式（１７）のＬ*ｕ*ｖ*値へ
の変換を行うことにより、目標色空間のグレー値Ｌtg*ｕtg*ｖtg*を得る。
【００８７】
【数１１】
2007281559.tif 000013
【００８８】
次に、ステップＳ４１０では、入力値ＩtＳtＨtと等しい明度を有するプロジェクタの
グレー値ＩdgＳdgＨdgをＬ*ｕ*ｖ*値に変換し、グレー値Ｌdg*ｕdg*ｖdg*を算出する。そ
のため、次に示す式（２８）によりグレー値ＩdgＳdgＨdgを求めてから、式（２５）〜式
（２７）の演算によりＲdgＧdgＢdgに変換する。
【００８９】
【数１２】
2007281559.tif 000014
【００９０】
そして、ＲdgＧdgＢdgをＸＹＺ値に変換する際には、ステップＳ１２０において色出力
データ格納部２４に格納した、無補正時の色出力特性データＸRＹRＺR，ＸGＹGＺG，ＸB
ＹBＺBを用いて次に示す式（２９）によりＸdgＹdgＺdgに変換する。
【００９１】
【数１３】
2007281559.tif 000015
【００９２】
さらに、目標色空間における白色点のＸＹＺ値を基準白色として、式（１５）〜式（１
７）による変換を行うと、プロジェクタのグレー値Ｌdg*ｕdg*ｖdg*を得ることができる
。
【００９３】
次に、ステップＳ４２０では、入力値ＩtＳtＨtと等しい明度を有する目標色空間のグ
レー値Ｌtg*ｕtg*ｖtg*とプロジェクタのグレー値Ｌdg*ｕdg*ｖdg*との差分値ΔＬg*Δｕ
g*Δｖg*をグレー軸補正の基本補正量として算出する。すなわち、グレー軸補正の基本補
正量ΔＬg*Δｕg*Δｖg*は、次に示す式（３０）により求めることができる。
【００９４】
【数１４】
2007281559.tif 000016
【００９５】
次に、ステップＳ４３０では、重み係数Ｗgを決定する。重み係数Ｗgは、入力値ＩtＳt
Ｈtを用いて次に示す式（３１）に従って定める。
【００９６】
【数１５】
2007281559.tif 000017
【００９７】
図７は、ＨＳＩ双６角錐カラーモデルを彩度方向に規格化したカラーモデルにおいて、
ある色相上における重み係数Ｗgの値を示した図である。図７に示すように、重み係数Ｗg
は、彩度最大（Ｓt＝１）のとき「０」、彩度最小（Ｓt＝０）及び明度最大（Ｉt＝１）
のとき「１」の値をとりながら、重み係数Ｗgが「０」の値から「１」の値をとる間の領
域では連続且つ単調に変化する値となる。すなわち、重み係数Ｗgを式（３１）で表すこ
とにより、グレー軸（Ｓt＝０）において重み係数Ｗgは「１」、各色相における黒（Ｉt
＝０，Ｓt＝１）から最高彩度（Ｉt＝０．５，Ｓt＝１）までの範囲で重み係数Ｗgは「０
」となる。
【００９８】
次に、ステップＳ４４０では、グレー軸補正の基本補正量ΔＬg*Δｕg*Δｖg*及び重み
係数Ｗgを用いて、入力値Ｌt*ｕt*ｖt*に対してグレー軸補正基本式（１８）に従うグレ
ー軸補正を施す。グレー軸補正によりグレー軸補正後のＬd1*ｕd1*ｖd1*に変換すると、
グレー軸補正を終了する。
【００９９】
図８は、Ｌ*ｕ*ｖ*色空間のＬ*−ｕ*ｖ*平面上でグレー軸補正による補正前後の色領域
を示した図であり、図９は、ｕ*−ｖ*平面上で示した図である。図８及び図９では、グレ
ー軸補正前の目標色空間の色域ＣＳtを１点鎖線、無補正時の色再現領域ＣＳdを破線、グ
レー軸補正後の目標色空間の色域ＣＳgを実線にて示している。
【０１００】
まず、グレー軸補正前について、目標色空間におけるグレー軸ＧＡtは、白の色彩値の
色点Ｐw1と黒の色彩値の色点Ｐ0とを繋ぐ明度軸上の直線となる（図８参照）。一方、色
再現空間は第２色変換テーブルの色変換によりγを考慮した目標グレー特性（式（２）参
照）が与えられるので、無補正時の色再現空間のグレー軸ＧＡdは色再現領域の白の色点
Ｐw2と黒の色点Ｐ0とを繋ぐ曲線となる。
【０１０１】
グレー軸補正を施すと、目標色空間の色域ＣＳt上の白の色点Ｐw1は、重み係数Ｗgが「
１」となるので色点Ｐw1と同明度を維持しながら基本補正量ΔＬg*Δｕg*Δｖg*だけ補正
され、色再現領域ＣＳdの白の色点Ｐw2に変換される。一方、目標色空間の色域ＣＳt上の
黒の色点Ｐ0は、グレー軸補正の基本補正量ΔＬg*Δｕg*Δｖg*が「０」となるのでやは
り同じ色点Ｐ0に変換される。また、白と黒の間の階調の色点についても、目標色空間の
グレー軸上の色点（例えば、色点Ｐg1）は、当該色点に対応する基本補正量分だけ補正さ
れて、色再現空間のグレー軸上の同明度の色点（色点Ｐg2）に変換される。したがって、
目標色空間のグレー軸ＧＡtは、色再現空間のグレー軸ＧＡdに等しく、白の色点Ｐw2と黒
の色点Ｐ0とを繋いだ曲線状のグレー軸ＧＡgに変換される。
【０１０２】
一方、目標色空間色の色域ＣＳtにおける彩度最大の色点Ｐ1，Ｐ2は、重み係数Ｗgが「
０」であるのでグレー軸補正によって同じ色点に変換される。したがって、目標色領域Ｃ
Ｓtにおける彩度最大の色点Ｐ1，Ｐ2を繋ぐ軌跡Ｔtは、彩度最大の色点Ｐ1，Ｐ2を繋いで
グレー軸補正後のグレー軸上の色点Ｐg2を通る軌跡Ｔgに変換される。
【０１０３】
このとき、ｕ*−ｖ*平面上においては、グレー軸補正後のグレー軸ＧＡgは無補正時の
色再現空間のグレー軸ＧＡdに等しくなり、無彩色の色点Ｏtを通る直線になる（図９参照
）。このとき、例えば彩度・色相一定の軌跡Ｔt（Ｓt＝０．５，Ｈt＝−２．０）は、軌
跡Ｔt上における最大彩度の色点Ｐhと、グレーの色点Ｏdを繋ぐ直線に変換される。
【０１０４】
こうして、グレー軸補正によって、目標色領域ＣＳtは、Ｙ*ｕ*ｖ*色空間において無補
正時の色再現空間のグレー軸ＧＡdと等しいグレー軸ＧＡgを有する色空間の色域ＣＳgに
変換される。
【０１０５】
グレー軸補正を終了すると図５のフローチャートに戻って、ステップＳ３２０において
、グレー軸補正後のＬd1*ｕd1*ｖd1*に対する出力値Ｒd1Ｇd1Ｂd1を算出する。そのため
、まず、次に示す式（３２）及び式（３３）に従ってグレー軸補正後のＸd1Ｙd1Ｚd1を算
出する。
【０１０６】
【数１６】
2007281559.tif 000018
【０１０７】
Ｘd1Ｙd1Ｚd1からＲＧＢ値への変換は、ステップＳ１２０で生成した無補正時の色出力
特性データＸRＹRＺR，ＸGＹGＺG，ＸBＹBＺBを用いて、回帰的な手法により色出力特性
データの出力特性に近づけるようにして、色出力特性データの出力特性に従うＲＧＢ値に
変換する。そのため、変換する際には、色出力特性データ格納部２４から読み出すように
して、ステップＳ１２０で生成した無補正時の色出力特性データＸRＹRＺR，ＸGＹGＺG，
ＸBＹBＺBを取得する。そして、次に示す式（３４）〜式（３６）により白（Ｒmax，Ｇma
x，Ｂmax）の色出力特性データに対応する変換行列Ｍ0を用いてＹR（Ｒ0）ＹG（Ｇ0）ＹB
（Ｂ0）を算出し、暫定のＲＧＢ値とする。
【０１０８】
【数１７】
2007281559.tif 000019
【０１０９】
次に、暫定のＲＧＢ値Ｒ0Ｇ0Ｂ0の色出力特性データに対応する変換行列Ｍ1を用いて式
（３７）〜式（３９）に従ってＲＧＢ各色輝度Ｙ’R（Ｒ1）Ｙ’G（Ｇ1）Ｙ’B（Ｂ1）を
算出する。そして、ＲＧＢ各色輝度ＹR（Ｒ1）ＹG（Ｇ1）ＹB（Ｂ1）を暫定のＲＧＢ値Ｒ
1Ｇ1Ｂ1とする（式（４０））。同様に、暫定のＲＧＢ値Ｒ1Ｇ1Ｂ1に対して式（４１）〜
式（４３）に従う２回目の回帰演算を行うことにより、ＲＧＢ各色輝度ＹR（Ｒ2）ＹG（
Ｇ2）ＹB（Ｂ2）を再計算し、グレー軸補正後のＲＧＢ値Ｒd1Ｇd1Ｂd1とする（式（４４
））。
【０１１０】
【数１８】
2007281559.tif 000020
【０１１１】
すなわち、回帰的な手法により、Ｘd1Ｙd1Ｚd1に対応しながら、無補正時の色出力特性
データＸRＹRＺR，ＸGＹGＺG，ＸBＹBＺBの階調特性に徐々に近づけ、第２色変換テーブ
ルによる色変換を反映したＲＧＢ値を得るようにしている。
【０１１２】
次に、ステップＳ３３０では、彩度・色相補正をＨＳＩ色空間にて行うため、第１色変
換テーブル生成部２５は、式（１９）〜式（２３）に従ってグレー軸補正後のＲd1Ｇd1Ｂ
d1をＨＳＩ色空間上のＩd1Ｓd1Ｈd1に変換する。
【０１１３】
（彩度・色相補正）
次に、ステップＳ３４０では、第１色変換テーブル生成部２５は彩度・色相補正を行う
。彩度・色相補正は、ＨＳＩ色空間において次に示す彩度・色相補正の基本式（４５）に
従って行う。ここで、ΔＩsΔＳsΔＨsが彩度・色相補正の基本補正量であり、Ｗsは彩度
・色相補正の基本補正量に係る重み係数である。Ｈmaxは、彩度・色相補正における色相
の回転量を調整するためのパラメータであり、「０」〜「１」の範囲内で予め値が定めら
れている。彩度・色相補正は、基本補正量ΔＬs*Δｕs*Δｖs*及び重み係数Ｗsを求めて
から、式（４５）に示す色変換を行うことにより行う。
【０１１４】
【数１９】
2007281559.tif 000021
【０１１５】
以下、図１０にフローチャートに従って彩度・色相補正について説明する。彩度・色相
補正を開始すると、まずステップＳ５００において、入力値ＩtＳtＨtと同色相となる、
目標色領域ＣＳtの最大彩度色のＸＹＺ値を計算する。ここで、図７に示したＨＳＩ双６
角錐カラーモデルにおいては、「Ｉt＝０．５」且つ「Ｓt＝１．０」の彩度最大色相円上
において彩度最大となるので、次に示す式（４６）により入力値ＩtＳtＨtと同色相の最
大彩度色ＩtsＳtsＨtsを求める。
【０１１６】
【数２０】
2007281559.tif 000022
【０１１７】
そして、式（２５）〜式（２７）の演算により最大彩度色ＩtsＳtsＨtsをＲtsＧtsＢts
に変換してから、目標色領域ＣＳtにおける白のＸＹＺ値を基準白色として式（１１）〜
式（１４）の演算により目標色領域の最大彩度色ＸtsＹtsＺtsに変換する。
【０１１８】
さらに、ステップＳ５００では、最大彩度色ＸtsＹtsＺtsをプロジェクタが出力するた
めのＲＧＢ値を求める。そのため、次に示す式（４７）によりＸtsＹtsＺtsをプロジェク
タの最大彩度色Ｘds1Ｙds1Ｚds1に置き換え、Ｘds1Ｙds1Ｚds1に対して式（３７）〜式（
４４）と同様の回帰計算を行うことによりプロジェクタの最大彩度色Ｒds1Ｇds1Ｂds1に
変換する。そして、式（１９）〜式（２３）によりＲds1Ｇds1Ｂds1をＨＳＩ色空間上の
プロジェクタの最大彩度色Ｉds1Ｓds1Ｈds1を算出する。
【０１１９】
【数２１】
2007281559.tif 000023
【０１２０】
次に、ステップＳ５１０では、プロジェクタ１が、最大彩度色ＲtsＧtsＢtsと同じＲＧ
Ｂ値を出力したときの無補正時の最大彩度色Ｉds2Ｓds2Ｈds2を求める。ここで、ＲＧＢ
値がＲtsＧtsＢtsに等しいことから、無補正時の最大彩度色Ｉds2Ｓds2Ｈds2は次に示す
式（４８）により求めることができる。
【０１２１】
【数２２】
2007281559.tif 000024
【０１２２】
次に、ステップＳ５２０では、同色相且つ最大彩度色を有するプロジェクタのＩds1Ｓd
s1Ｈds1と無補正時のＩds2Ｓds2Ｈds2との差分値ΔＩsΔＳsΔＨsを彩度・色相補正の基
本補正量として算出する。すなわち、彩度・色相補正の基本補正量ΔＩsΔＳsΔＨsは次
に示す式（４９）により得ることができる。
【０１２３】
【数２３】
2007281559.tif 000025
【０１２４】
次に、ステップＳ５３０では、彩度・色相補正の重み係数Ｗsを決定する。そのため、
次に示す式（５０）及び式（５１）に従って変化率ｐを算出する。ここで、ｄｓは彩度・
色相補正の基本補正量ΔＩsΔＳsΔＨsの大きさであり彩度・色相補正の変化量、ｄはグ
レー軸補正によるＨＳＩ値の変化量を彩度・色相補正後の変化量に換算した値であり、変
化率ｐは、補正によりＨＳＩ色空間において色彩値が変化する割合を示している。また、
ｍａｘ（）は引数のうち最大値を返す関数である。式（５０）に示すように、彩度・色相
補正又はグレー軸補正のうち変化が大きい方の割合に「１」を加算した値を変化率ｐとす
るので、変化率ｐが大きいほどグレー軸補正又は彩度・色相補正による色彩値（明度・彩
度・色相）の補正量が大きいことになる。
【０１２５】
【数２４】
2007281559.tif 000026
【０１２６】
そして、次に示す式（５２）により、グレー軸補正後の目標色領域ＣＳgに近づけるよ
うにマッチングさせる低彩度領域の最大彩度Ｓ’maxを求める。ここで、Ｓmaxは「−１」
〜「１」の範囲内で、彩度・色相補正において目標色領域の色彩値を再現する範囲を調整
するためのパラメータ、Ｄは彩度・色相の変化率を制限するためのパラメータであり、Ｓ
max及びＤは処理にあたって予め値が定められているものとする。ｍｅｄ（）は、複数の
引数のうち中央値を返す関数である。
【０１２７】
【数２５】
2007281559.tif 000027
【０１２８】
さらに、Ｓ’maxを用いて、次に示す式（５３）及び式（５４）により重み係数Ｗsの係
数α及びＡを算出し、Ｓ’max，係数α及びＡを用いて式（５５）により重み係数Ｗsを決
定する。なお、式（５３）〜式（５５）は、彩度・色相補正の基本式（４５）に曲線状の
所定の特性を与えるように決められている。
【０１２９】
【数２６】
2007281559.tif 000028
【０１３０】
次に、ステップＳ５４０では、ステップＳ５２０で求めた彩度・色相補正の基本補正量
ΔＩsΔＳsΔＨs及びステップＳ５３０で求めた彩度・色相補正の重み係数Ｗsを用いて、
グレー軸補正後の色彩値Ｉd1Ｓd1Ｈd1に彩度・色相補正の基本式（４５）による彩度・色
相補正を施すことにより、彩度・色相補正後の色彩値Ｉd2Ｓd2Ｈd2に変換する。
【０１３１】
これにより、彩度・色相補正では、グレー軸補正後のグレー軸から離れた色点ほど、重
み係数Ｗsが大きくなって目標色領域ＣＳgから無補正時の色再現領域ＣＳdに近づくよう
に彩度・色相が補正される。
【０１３２】
ここで、パラメータＳmaxについて図１１を用いて説明する。図１１は、横軸に入力値
の彩度Ｓt、縦軸に彩度・色相補正後の彩度Ｓd2を示している。なお、図１１では、説明
の簡便のため、基本補正量ΔＩｓ及びΔＨｓが「０」として、目標色領域ＣＳtが色再現
領域ＣＳdより彩度方向に広いときの例を示している。このとき、色再現領域ＣＳdの彩度
に適合させるように彩度・色相補正した場合は、目標色領域ＣＳtが色再現領域ＣＳdより
彩度方向に広いので「Ｓt＝１」は「Ｓds1＝１」に変換され、彩度・色相補正後の彩度Ｓ
d2は彩度Ｓtに対して傾き「１」の軌跡Ｔds1（Ｓd2＝Ｓt）により表される。一方、目標
色領域ＣＳtの彩度に適合させるように彩度・色相補正した場合は、変化率ｐは彩度の変
化率であるので、「Ｓt＝１」は「Ｓds1＝ｐ（＞１）」に変換され、傾き「ｐ」の軌跡Ｔ
ds2（Ｓd2＝ｐ×Ｓt）により表すことができる。
【０１３３】
しかしながら、色再現可能な色再現領域ＣＳdの最大彩度を超えた色再現を行うことは
できないため、実際には彩度Ｓd2を「１」以内に制限する必要がある。そこで、式（５３
）〜式（５５）に従って重み係数Ｗsを設定したことにより、彩度・色相補正後の彩度Ｓd
2は、彩度Ｓtが最大彩度Ｓ’maxより小さい範囲では軌跡Ｔds1に追随し、彩度Ｓtが最大
彩度Ｓ’maxより大きい範囲では軌跡Ｔds1に徐々に近づく軌跡Ｔd2（Ｓd2＝１−Ａ（１−
Ｓt）α）により表される特性となる。これにより、彩度・色相補正では、低彩度領域の
色彩値を目標色領域の色彩値に近づけ、高彩度領域の色彩値は色再現領域の色彩値に近づ
く。
【０１３４】
また、Ｓmaxが０以上のときの例を示した図１１（ａ）の場合、彩度Ｓｔが「０」，「
Ｓmax」，「１／ｐ−Ｄ」の順に大きくなっているので、式（５２）によりパラメータＳm
axが最大彩度Ｓ’maxとなる。このとき、軌跡Ｔd2は入力値の彩度Ｓtが「０〜Ｓmax（＝
Ｓ’max）」の範囲において軌跡Ｔds1に等しくなる。また、軌跡Ｔd2は、「Ｓ’max〜１
」の範囲では、ＳmaxにおいてＴds1に連続、且つ彩度Ｓtが大きくなるにつれて徐々に軌
跡Ｔds1に近づき、「Ｓt＝１」において軌跡Ｔds2に一致する曲線となる。
【０１３５】
なお、「Ｓmax」が「０」及び「１／ｐ−Ｄ」より大きい場合には、式（５２）により
Ｓ’maxは「１／ｐ−Ｄ」になるので、軌跡Ｔds1に追随させる範囲の上限がパラメータＤ
の値によって制限される。これにより、軌跡Ｔd2に近づけるＳtの範囲が狭くなって軌跡
Ｔds1上からＴds2に向けて移行する際の軌跡Ｔd2の急激な変化を抑制することが可能にな
る。すなわち、パラメータＤを「１／ｐ−Ｄ」が正となる範囲で適宜設定することにより
、入力値Ｓtの変化に対して彩度が滑らかに変化するように調整することができる。
【０１３６】
Ｓmaxが０未満のときの例を示す図１１（ｂ）の場合、式（５２）よりＳ’maxは「０」
以下の値となるので、彩度Ｓtが「０〜１」の範囲に対して、軌跡Ｔds2から軌跡Ｔds1に
徐々に近づく軌跡Ｔd2（＝１−Ａ（１−Ｓt）α）により、彩度・色相補正後の彩度Ｓd2
は表される。すなわち、軌跡Ｔd2は、入力値の「Ｓt＝０」における軌跡Ｔds1上の「Ｓd2
＝０」から、彩度Ｓtが大きくなるにつれて徐々に軌跡Ｔds1に近づき、「Ｓt＝１」にお
いて軌跡Ｔds2に一致する曲線となる。これにより、彩度Ｓt＞０の範囲で高彩度になるほ
ど、グレー軸補正後の目標色領域から色再現領域に近づけるように色変換する彩度・色相
補正を行っている。
【０１３７】
このように、彩度・色相補正ではＳmaxが０以上、０未満いずれの場合であっても、入
力値の彩度Ｓtが高くなるにつれてグレー軸補正後の目標色領域から色再現領域に近づく
ように彩度が補正される。なお、式（５５）において「Ｓt＝０」に対して「Ｗs＝０」で
あるので、彩度・色相補正ではグレー軸上の色彩値は変化することなく無変換となる。
【０１３８】
以上、彩度変化に着目して説明したが、色相Ｈについても同様に彩度Ｓtが大きくなる
につれてグレー軸補正後の目標色領域から色再現領域に近づくように補正される。なお、
色相については、基本式（４５）に示すように、基本補正量ΔＨsに対してパラメータＨm
axが係っているので、パラメータＨmaxの値に応じて補正量が変化する。すなわち、パラ
メータＨmaxを適宜設定することにより、色相の変化量を調整することができる。
【０１３９】
図１２は彩度・色相補正による補正前後の色空間をＬ*ｕ*ｖ*色空間上に示した図であ
り、図１３は、あるＬ*についてのｕ*ｖ*平面上の状態を示した図である。図１２及び図
１３ではグレー軸補正後の色空間の色域ＣＳgを１点鎖線、彩度・色相補正後の目標色領
域ＣＳsを実線にて示している。
【０１４０】
図１２に示すように、彩度・色相補正によれば、グレー軸補正後の目標色領域ＣＳgの
ｕ*ｖ*方向の頂点にある最大彩度の色点Ｐ1，Ｐ2について、色点Ｐ1が目標色領域ＣＳt上
の最大彩度の色点Ｐ1’に、色点Ｐ2が目標色領域ＣＳt上の最大彩度の色点Ｐ2’に変換さ
れる。また、彩度・色相補正ではデバイス依存のＨＳＩ色空間上で変換したのでグレー軸
を変化することなく、グレー軸上の「Ｉt＝０．５」となる色点Ｐ3は同じ色点に変換され
る。すなわち、グレー軸補正後グレー軸ＧＡg上の色彩値は無変換となる。また、グレー
軸補正後の「Ｉt＝０．５」の軌跡Ｔgは、グレー軸上の色点Ｐ3を通り、ｕ*ｖ*方向には
色再現領域ＣＳdの最大彩度の頂点を両端とする曲線状の軌跡Ｔsに変換される。このとき
、図１３に示すように、ｕ*ｖ*平面上では、グレー軸ＧＡd上のある色点Ｏdと青の色点Ｐ
Btとを繋ぐ直線状のグレー軸補正後の軌跡Ｔg（Ｓt＝０．５，Ｈt＝−２．０）が、色点
Ｏdと色再現領域ＣＳdの青の色点ＰBdとを繋ぐ曲線状の軌跡Ｔsに変換される。
【０１４１】
パラメータＳmaxが彩度・色相補正に与える影響について図１４を用いて説明する。図
１４は、ｕ*−ｖ*平面上において、目標色領域上の直線ＯtＰBtの軌跡に対する補正後の
軌跡について、Ｓmaxが「１」のときの軌跡Ｔs1、Ｓmaxが「０」のときの軌跡Ｔs2、Ｓma
xが「−１」のときの軌跡Ｔs3を示している。なお、説明の簡便のためＨmaxを「１」とし
ている。
【０１４２】
上述したように、彩度・色相補正では彩度ＳtがＳ’max以下の範囲ではグレー軸補正後
の目標色領域ＣＳgに従い、Ｓ’maxより大きい範囲では色再現領域ＣＳdに徐々に近づけ
るように補正した。ここで、Ｓmaxが「１」のときは、式（５２）によりＳ’maxは「１／
ｐ−Ｄ」になるので、図１４に示すように、軌跡Ｔs1は色点Ｏdより直線ＯdＰBt上のある
色彩値の色点までは直線ＯdＰBt上を辿り、これ以上の範囲で徐々に色再現領域ＣＳd上の
直線ＯdＰBdに近づく曲線になる。同様にＳmaxが「０」のときはＳ’maxは「０」になる
ので、色点Ｏdから徐々に直線ＯdＰBdに近づく曲線になる。Ｓmaxが「−１」のときは式
（５２）〜式（５５）より「Ｗs＝１」となるので、基本補正量ΔＩsΔＳsΔＨs分だけ補
正されて、軌跡Ｔs3は色再現領域ＣＳdの直線ＯdＰBdに一致する。このように、パラメー
タＳmaxにより、彩度・色相補正において目標色領域に追随させる範囲を制御することが
できる。
【０１４３】
パラメータＨmaxが彩度・色相補正に与える影響について図１５を用いて説明する。図
１５は、ｕ*ｖ*平面上において、Ｈmaxが「１」のときの軌跡Ｔh1とＨmaxが「０」のとき
の軌跡Ｔh2を示している。なお、説明の簡便のためＳmaxを「０」としている。軌跡Ｔh1
については図１４に示した軌跡Ｔs2と同様の条件（Ｈmax＝１，Ｓmax＝０）であるので、
色点Ｏdから徐々に色再現領域に近づく曲線になる。軌跡Ｔh2については、Ｈmax（＝０）
のときに補正基本式（４５）より彩度・色相補正において色相が変化しないので、直線Ｏ
dＰBt上の色彩値が補正される軌跡は、色点Ｏdと直線ＯdＰBtの延長線上で彩度・明度最
大となる色点ＰBd2とを繋ぐ直線ＯdＰBd2となる。また、Ｈmaxが「０〜１」の間の値をと
るときは、図１５の破線にて示したように軌跡Ｔs1と軌跡Ｔs2との間に位置する曲線とな
る。このように、パラメータＨmaxにより、彩度・色相補正において色相の変化量を制御
することができる。
【０１４４】
以上に説明した彩度・色相補正を終えると図５の処理に戻って、ステップＳ３５０にお
いて、式（２５）〜式（２７）に従って彩度・色相補正後のＩd2Ｓd2Ｈd2をＲＧＢ値に変
換して出力値Ｒd2Ｇd2Ｂd2を算出する。
【０１４５】
次に、ステップＳ３６０では、目標色領域上の入力値ＲtＧtＢtと当該入力値に対応す
る出力値Ｒd2Ｇd2Ｂd2とを対応付けた第１色変換テーブルを生成する。なお、上述した処
理をＲＧＢ各色ごとに所定の階調数となる複数の入力値ＲtＧtＢtについて行うことで、
第１色変換テーブルには、複数の入力値ＲtＧtＢtに対する出力値Ｒd2Ｇd2Ｂd2を示した
テーブルになる。
【０１４６】
第１色変換テーブルを生成すると第１色変換テーブル生成処理を終了して、図２の処理
に戻る。そして、ステップＳ１４０において、第１色変換テーブル生成部２５は、生成し
た第１色変換テーブルを第１色変換テーブル格納部３１に格納する。
【０１４７】
次に、ステップＳ１５０では、全カラーモードについて処理を終えたか否かを判断する
。全カラーモードについて処理を終えていなければ（Ｎｏ）、ステップＳ１００に戻って
未処理のカラーモードを選択してから、当該カラーモードの目標色領域に対応する第２色
変換テーブル、第１色変換テーブルを生成する処理を行う。全カラーモードについて処理
を終えていれば（Ｙｅｓ）、図２のフローチャートに示した処理を終了する。
【０１４８】
なお、ステップＳ１００の処理が請求項に記載の第１色空間設定工程、ステップＳ１３
０の処理が請求項に記載の第１色変換テーブル生成工程に相当する。
【０１４９】
以上に説明したように、色変換テーブル生成部２０は、第１色変換テーブル生成処理に
より、グレー軸補正及び彩度・色相補正が考慮された第１色変換テーブルを生成し、第１
色変換テーブルを第１色変換テーブル格納部３１に格納した状態で、色変換テーブル生成
処理を終了する。
【０１５０】
次に、色変換テーブル生成処理で生成した第１色変換テーブルを用いてプロジェクタ１
に入力された画像データに色補正を施す際の処理について、図１６のフローチャートに従
って説明する。
【０１５１】
色補正が開始されると、ステップＳ６００において、画像データ入力部１０は、外部の
機器などから入力された画像データに入力処理を行う。例えば、画像処理部３０が１０ビ
ットのデータを処理する場合、入力処理では、外部機器からの画像データをＲＧＢ各色１
０ビットの入力値ＲinＧinＢinに変換して、画像処理部３０に受け渡す。
【０１５２】
次に、ステップＳ６１０では、第１色変換実行部３２はカラーモードを設定する。例え
ば、予め行われたユーザの選択や入力された画像データの種類に対応させることで、カラ
ーモードが設定される。
【０１５３】
次に、ステップＳ６２０では、第１色変換実行部３２は、第１色変換テーブル格納部３
１から設定したカラーモードに対応する第１色変換テーブルを読み出す。
【０１５４】
次に、ステップＳ６３０では、第１色変換実行部３２は、第１色変換テーブルに従って
入力値ＲinＧinＢinに対して３次元色変換を実行することにより、グレー軸補正及び彩度
・色相補正が施されたＲＧＢ値に補正する。
【０１５５】
次に、ステップＳ６４０では、第２色変換実行部３４は、第２色変換テーブル格納部３
３より第２色変換テーブルを読み出す。
【０１５６】
次に、ステップＳ６５０では、第２色変換実行部３４は、第２色変換テーブルに従って
ステップＳ６３０の処理後の各色ＲＧＢ値に対して１次元色変換を実行することにより、
プロジェクタの出力特性に対応させたＲＧＢ値に補正する。
【０１５７】
次に、ステップＳ６６０では、第２色変換実行部３４は、補正したＲＧＢ値を出力値Ｒ
outＧoutＢoutとしてＬ／Ｖ駆動部４０に出力する出力処理を行う。これにより、プロジ
ェクタ１のライトバルブにグレー軸補正及び彩度・色相補正を施した画像が表示される。
【０１５８】
なお、ステップＳ６３０の処理が請求項に記載の第１色変換工程、ステップＳ６５０の
処理が第２色変換工程に相当する。
【０１５９】
以上に説明したように、第１の実施形態のプロジェクタによれば、グレー軸補正及び彩
度・色相補正による補正結果を反映した画像を表示することができる。
【０１６０】
次に、本実施形態のプロジェクタ１が、グレー軸補正及び彩度・色相補正により再現可
能となる色空間について説明する。図１７に示すように、目標色領域ＣＳtは、ｘｙ色度
座標において赤の色点ＰRtと緑の色点ＰGtと青の色点ＰBtとに囲まれる色三角形により表
される。また、プロジェクタ１が再現可能な色再現領域ＣＳdは、赤の色点ＰRdと緑の色
点ＰGdと青の色点ＰBdとに囲まれる色三角形により表される。
【０１６１】
ここで、色再現領域ＣＳdと目標色領域ＣＳtとの色域が異なる場合に、目標色領域ＣＳ
tに忠実な色再現を行おうとすると、色再現領域ＣＳdと目標色領域ＣＳtとが重なった範
囲（図１７のハッチング領域）の色空間だけを色再現に使用し、それ以外の色空間は使用
できなくなるので、色再現領域ＣＳdの全域を活用することができなくなる。そこで、プ
ロジェクタ１は、グレー軸補正により目標色空間のグレー軸を無補正時の色再現空間のグ
レー軸に適合させ、彩度・色相補正ではグレー軸を無変換として、グレー軸補正後の目標
色領域の最外郭を色再現領域の最外郭に適合させたことにより、色再現領域ＣＳdと等し
い色域の色空間を得ることができる。また、第２色変換テーブルの色変換により、ＲＧＢ
各色の階調曲線ＣRＣGＣBは階調の増加と共に、目標色領域から色再現領域ＣＳdに近付く
曲線状の階調特性となる。
【０１６２】
以下、第１の実施形態における効果を記載する。
【０１６３】
（１）グレー軸補正では、Ｙ*ｕ*ｖ*色空間上で目標色空間のグレー軸を第２色変換テ
ーブルを適用したプロジェクタのグレー軸に補正し、彩度・色相補正では当該グレー軸に
おける色彩値を無変換として色域のマッチングを行ったので、第１色変換テーブルによる
色変換では、デバイス依存のＲＧＢ色空間上でのグレー軸は無変換となる。無変換のグレ
ー軸に対して、第２色変換テーブルによるグレー軸の調整を行うことができるので、目標
グレー特性に合わせて精度良く調整することができる。したがって、目標グレー特性を有
する好適な色再現を実現することができる。
【０１６４】
（２）第１色変換テーブルの色変換では、グレー軸を無変換としながら目標色領域を色
再現領域にマッチングさせるので、どのような目標グレー特性に調整する場合でもグレー
軸の調整を精度良く行うことができる。
【０１６５】
（３）グレー軸補正では、デバイス非依存のＬ*ｕ*ｖ*色空間において、目標色空間の
グレー軸に近い色彩値を色再現空間のグレー軸に近い色彩値に補正したため、グレー軸に
近付くに連れて連続的にグレー軸に近づく色再現を実現することができる。
【０１６６】
（４）彩度・色相補正では、グレー軸補正後の目標色領域のうち、低彩度領域を目標色
領域、高彩度領域を色再現領域に近づけるように補正したので、色再現領域の高輝度域を
有効に活用しながら、全体的に目標色領域に近い色再現を実現することができる。
【０１６７】
（５）彩度・色相補正では、目標色領域の最外郭の色彩値を色再現領域の最外郭にマッ
チングしたので、色再現領域の全域を活かした色再現を実現することができる。
【０１６８】
（６）パラメータＳmaxを適宜設定することにより、彩度・色相補正において色再現領
域ＣＳdに近い色再現を行う高彩度領域の範囲を調整することができるので、ユーザの趣
向や画像データの種類などに合わせた好適な色再現を実現することができる。
【０１６９】
（７）パラメータＨmaxを適宜設定することにより、彩度・色相補正による色相の変化
量を調整することができるので、ユーザの趣向や画像データの種類などに合わせた好適な
色再現を実現することができる。
【０１７０】
（８）パラメータＤを適宜設定することにより、彩度・色相補正において階調の急激な
変化を制限することができるので、滑らかな階調特性をもつ好適な色再現を実現すること
ができる。
【０１７１】
（９）ＨＳＩ色空間上において彩度・色相補正を行ったので、彩度・色相を変化させな
がらグレー軸上の色彩値は無変換とする彩度・色相補正を精度良く且つ簡易に行うことが
できる。
【０１７２】
（１０）ＨＳＩ色空間への変換過程のステップＳ３２０におけるＸd1Ｙd1Ｚd1からＲd1
Ｇd1Ｂd1への色変換において、実測したＲＧＢ値とＸＹＺ値との対応を示す無補正時の色
出力特性データを用いて回帰的に計算したことにより、グレー軸の調整及び表示装置の階
調特性の調整後の出力が考慮され、色変換を高い精度で行うことができる。
【０１７３】
（１１）Ｌ*ｕ*ｖ*色空間への変換過程のステップＳ４１０におけるＲdgＧdgＢdgから
ＸdgＹdgＺdgへの色変換、及びステップＳ５００におけるＸds1Ｙds1Ｚds1からＲds1Ｇds
1Ｂds1への色変換において、実測したＲＧＢ値とＸＹＺ値との対応を示す無補正時の色出
力特性データを用いて回帰的に計算したことにより、グレー軸の調整及び表示装置の階調
特性の調整後の出力が考慮され、色変換を高い精度で行うことができる。
【０１７４】
（第２の実施形態）
次に、本発明に係る第２の実施形態について説明する。
【０１７５】
第２の実施形態は、色補正が施されたプロジェクタを製造するための色補正システムで
ある。図１８は、第２の実施形態に係る色補正システムの構成を示したブロック図である
。図１８に示すように、色補正システム１００は、プロジェクタ１１０と、プロジェクタ
１１０に対応した色補正を施す色補正装置１２０とを備え、プロジェクタ１１０と色補正
装置１２０とは相互に通信可能に接続されている。
【０１７６】
プロジェクタ１１０は、画像データ入力部１０、画像処理部３０、及びＬ／Ｖ駆動部４
０を備えている。また、画像処理部３０は、第１色変換テーブル格納部３１、第１色変換
実行部３２、第２色変換テーブル格納部３３、及び第２色変換実行部３４を有している。
すなわち、プロジェクタ１１０は、第１の実施形態に係るプロジェクタ１から色変換テー
ブル生成部２０を除いた構成になっている。
【０１７７】
色補正装置１２０は、カラーモード設定部２１、第１色変換テーブル生成部２５、第２
色変換テーブル生成部２６、測光センサ２２、色出力特性データ生成部２３、及び色変換
テーブル出力部２７を備えている。すなわち、色補正装置１２０は、第１の実施形態に係
る色変換テーブル生成部２０の構成に加えてさらに色変換テーブル出力部２７を有した構
成になっている。
【０１７８】
色変換テーブル出力部２７は、生成した色変換テーブルをプロジェクタ１１０に出力し
て色変換テーブル格納部に書き込ませる部分である。具体的には、色変換テーブル出力部
２７は、第１色変換テーブルをプロジェクタ１１０に出力して第１色変換テーブル格納部
３１に格納させ、第２色変換テーブルをプロジェクタ１１０に出力して第２色変換テーブ
ル格納部３３に格納させる処理を行う。
【０１７９】
以上の構成による色補正システム１００によれば、プロジェクタ１１０に対して色補正
を実行するときには、色補正装置１２０が、図２に示す処理を行って、ステップＳ１２０
において、第２色変換テーブルを第２色変換テーブル格納部３３に格納させ、ステップＳ
１４０において、第１色変換テーブルを第１色変換テーブル格納部３１に格納させる（テ
ーブル格納工程）。また、プロジェクタ１１０が画像を表示する時には、プロジェクタ１
１０が図１６に示す処理と同様の処理を行うことにより補正された画像を表示することが
できる。
【０１８０】
したがって、第２の実施形態によれば、第１の実施形態に係る（１）〜（１１）の効果
を得ることができるプロジェクタを製造することが可能となる。
【０１８１】
以上、本発明の第１及び第２の実施形態について説明したが、本発明はこれに限られる
ことなく、様々な形態とすることもできる。以下、本発明の変形例について説明する。
【０１８２】
（変形例１）上記実施形態では、Ｌ*ｕ*ｖ*色空間にてグレー軸補正を行った。グレー
軸補正は、Ｌ*ａ*ｂ*色空間やＸＹＺ色空間などのデバイス非依存の色空間において行う
ようにしてもよい。
【０１８３】
（変形例２）上記実施形態では、第１色変換テーブル生成処理において、グレー軸補正
及び彩度・色相補正を行うようにしたが、カラーモードの設定などによってはグレー軸補
正又は彩度・色相補正のいずれかのみを行うようにしてもよい。
【０１８４】
（変形例３）上記実施形態では、第２色変換テーブルによる色変換で、目標グレー特性
に対応させるグレー軸の調整と表示装置の出力特性に対応したＲＧＢ各色ごとの階調特性
の調整とを行ったが、グレー軸の調整とＲＧＢ各色の階調調整とを別テーブルで変換する
ようにしてもよい。
【０１８５】
（変形例４）上記実施形態では、プロジェクタ１が第１色補正及び第２色補正を行って
いたが、プロジェクタ外部の画像処理装置が第１色補正及び第２色補正を施した出力値Ｒ
outＧoutＢoutを出力し、プロジェクタは画像処理装置からの出力値によりグレー軸補正
及び彩度・色相補正を施した表示を行うようにしてもよい。
【０１８６】
（変形例５）上記実施形態および変形例では、表示装置としてスクリーンを有さないフ
ロントプロジェクタに本発明を適用したときの例について説明した。本発明は、これに限
られることなく、リアプロジェクタ、プラズマディスプレイ、液晶ディスプレイ、又はＣ
ＲＴ(Cathode Ray Tube)など種々の表示装置に適用することができる。
【図面の簡単な説明】
【０１８７】
【図１】第１の実施形態に係るプロジェクタの構成を示したブロック図。
【図２】色変換テーブルを生成する際の処理の流れを示したフローチャート図。
【図３】第２色変換テーブル生成処理の流れを示したフローチャート図。
【図４】第２色変換テーブルによる色変換を説明する説明図。
【図５】第１色変換テーブル生成処理の流れを示したフローチャート図。
【図６】グレー軸補正の流れを示したフローチャート図。
【図７】ＨＳＩ双６角錐カラーモデルにおいて重み係数Ｗｇの値を示した図。
【図８】グレー軸補正による補正前後の色空間を説明するための説明図。
【図９】グレー軸補正による補正前後の色空間を説明するための説明図。
【図１０】彩度・色相補正の流れを示したフローチャート図。
【図１１】彩度・色相補正における彩度変化を説明するための説明図であり、（ａ）はＳmaxが正の場合、（ｂ）はＳmaxが負の場合を示した図。
【図１２】彩度・色相補正による補正前後の色空間を説明するための説明図。
【図１３】彩度・色相補正による補正前後の色空間を説明するための説明図。
【図１４】Ｓｍａｘを説明するための説明図。
【図１５】Ｈｍａｘを説明するための説明図。
【図１６】色補正時の処理の流れを示したフローチャート図。
【図１７】補正後の色空間を説明するための説明図。
【図１８】第２の実施形態に係る色補正システムの構成を示したブロック図。
【符号の説明】
【０１８８】
１…表示装置としてのプロジェクタ、１０…画像データ入力部、２０…色変換テーブル
生成部、２１…第１色空間設定手段としてのカラーモード設定部、２２…測光センサ、２
３…色出力特性データ生成部、２４…色出力特性データ格納部、２５…第１色変換テーブ
ル生成手段としての第１色変換テーブル生成部、２６…第２色変換テーブル取得手段とし
ての第２色変換テーブル生成部、２７…色変換テーブル出力部、３０…画像処理装置とし
ての画像処理部、３１…第１色変換テーブル格納部、３２…第１色変換手段としての第１
色変換実行部、３３…第２色変換テーブル格納部、３４…第２色変換手段としての第２色
変換実行部、４０…Ｌ／Ｖ駆動部、１００…色補正システム、１１０…プロジェクタ、１
２０…色変換テーブル生成装置としての色補正装置、ＣＳt…目標色領域、ＣＳd…色再現
領域、ＣＳg…グレー軸補正後の目標色領域、ＣＳｓ…グレー軸補正及び彩度・色相補正
後の目標色領域。
【図１】
2007281559.tif 000029
【図２】
2007281559.tif 000030
【図３】
2007281559.tif 000031
【図４】
2007281559.tif 000032
【図５】
2007281559.tif 000033
【図６】
2007281559.tif 000034
【図７】
2007281559.tif 000035
【図８】
2007281559.tif 000036
【図９】
2007281559.tif 000037
【図１０】
2007281559.tif 000038
【図１１】
2007281559.tif 000039
【図１２】
2007281559.tif 000040
【図１３】
2007281559.tif 000041
【図１４】
2007281559.tif 000042
【図１５】
2007281559.tif 000043
【図１６】
2007281559.tif 000044
【図１７】
2007281559.tif 000045
【図１８】
2007281559.tif 000046